(57)【特許請求の範囲】
【請求項１】
原レイアウトデータ上に割り付けられる文字情報ブロックの基準となる文字属性パターンを設定する段階と、
前記原レイアウトデータ、および前記原レイアウトデータ上に割り付けられた文字情報ブロックを抽出する段階と、
前記文字情報ブロック内の文字属性と、前記文字属性パターンの文字属性を比較する段階と、
前記文字情報ブロック内の文字属性と、前記文字属性パターンの文字属性が異なっている場合に、前記文字属性パターンの文字属性に変更するためのメッセージを前記文字情報ブロック上に重ねて配置することにより修正メッセージ付レイアウトデータを作成する段階と、
前記修正メッセージ付レイアウトデータを出力する段階と、
を備えたことを特徴とするレイアウトデータ作成方法。
【請求項２】
原レイアウトデータ上に割り付けられる文字情報ブロックの基準となる文字属性パターンを設定する段階と、
画像、文字情報ブロックの割付位置情報を有する原レイアウトデータ、および前記原レイアウトデータ上に割り付けられた画像データ、および画像データの属性情報、および文字情報ブロックを抽出する段階と、
前記原レイアウトデータに割り付けられた画像上に、前記属性情報を重ねて配置すると共に、前記文字情報ブロック内の文字属性と前記文字属性パターンの文字属性が異なっている場合に、前記文字属性パターンの文字属性に変更するためのメッセージを前記文字情報ブロック上に重ねて配置することにより画像属性および修正メッセージ付レイアウトデータを作成する段階と、
前記画像属性および修正メッセージ付レイアウトデータを出力する段階と、
を備えたことを特徴とするレイアウトデータ作成方法。
【請求項３】
原レイアウトデータ上に割り付けられる文字情報ブロックの基準となる文字属性パターンを設定する設定手段と、
前記文字属性ブロック、および文字属性ブロックの位置情報を有する原レイアウトデータを記憶した記憶手段と、
前記原レイアウトデータ、および前記原レイアウトデータ上に割り付けられた文字情報ブロックを抽出する実データ抽出手段と、
前記抽出された文字情報ブロック内の文字属性と、前記設定された文字属性パターンの文字属性を比較し、両者が異なっている場合に、前記文字属性パターンの文字属性に変更するためのメッセージを前記文字情報ブロック上に重ねて配置することにより修正メッセージ付レイアウトデータを作成するレイアウト手段と、
前記修正メッセージ付レイアウトデータを出力する出力手段と、
を備えたことを特徴とするレイアウトデータ作成システム。
【発明の詳細な説明】
【０００１】
【産業上の利用分野】
本発明は、校正時におけるレイアウトデータに割り付けられた画像データの扱い、特に画像データおよび文字データの属性のチェックに適したレイアウトデータの作成に関する。
【０００２】
【従来の技術】
従来より印刷物作成の際には、事前に印刷側の作業者がＤＴＰ（デスクトップパブリッシング）やデザインシステムで体裁を確認するためのカラー出力物であるカラーカンプを作成し、依頼者がこのカラーカンプを確認することにより体裁をチェックすることが行われている。このチェックにおいて、カラーカンプには依頼者（校正者）からの修正指示が記入され、印刷側の作業者はこの指示に従って、実際に利用される製版用画像データの属性値を変更する作業を行っている。
【０００３】
最近では、実際に印刷に用いられる製版用画像を流用してカラーカンプが作成されるため、カラーカンプ上の画像に対して指示を行うことにより製版用画像の修正も可能となる。作業者は、この指示を助けるため、カラーカンプ上の画像上に、その画像の設定値の記入を行っている。依頼者は、画像を確認すると共にこの設定値を見て、具体的にどの程度の設定値にするかを指示することができる。また、カラーカンプ上に出力される文字情報についても、文字情報の割付単位である文字情報ブロックごとに適切な属性値が記入され、チェックおよび修正指示が行われている。
【０００４】
【発明が解決しようとする課題】
しかしながら、上記従来の手法では、画像の属性値を当該画像上に記入する場合、各画像について作業者が属性値を調べた後に手書きで記入する必要がある。このため、属性値を調べる手間と記入する手間がかかり、画像数が多い場合には、その手間が膨大なものとなると共に作業ミスの頻発を招いている。また、文字情報についても、文字情報ブロックごとに適切な属性値となっているかどうかを確認するために、データの属性値を調べなければならず、作業負荷が大きい。
【０００５】
上記のような点に鑑み、本発明は印刷物に利用する製版用画像上もしくは文字情報上に必要な情報を重ねて出力することにより、作業者による確認および修正作業を軽減することが可能なレイアウトデータ作成方法およびシステムを提供することを課題とする。
【０００６】
【課題を解決するための手段】
上記課題を解決するため、本発明では、原レイアウトデータ上に割り付けられる文字情報ブロックの基準となる文字属性パターンを設定する段階と、画像、文字情報ブロックの割付位置情報を有する原レイアウトデータ、および前記原レイアウトデータ上に割り付けられた画像データ、および画像データの属性情報、および文字情報ブロックを抽出する段階と、前記原レイアウトデータに割り付けられた画像上に、前記属性情報を重ねて配置すると共に、前記文字情報ブロック内の文字属性と前記文字属性パターンの文字属性が異なっている場合に、前記文字属性パターンの文字属性に変更するためのメッセージを前記文字情報ブロック上に重ねて配置することにより画像属性および修正メッセージ付レイアウトデータを作成する段階と、前記画像属性および修正メッセージ付レイアウトデータを出力する段階と、を備えるようにしたことを特徴とする。本発明によれば、レイアウトデータ上に割り付けられた文字・画像を表示または印刷する際に、その文字・画像の属性情報を文字情報ブロックまたは画像上に重ねて画面または印刷物として出力するようにしたので、校正者は、割り付けられている画像が具体的にどのような属性値で設定されているかを知ることができ、修正指示を行う際に具体的な数値で指示することが可能となる。
【０００７】
【発明の実施の形態】
以下、本発明の好適な実施形態について、図面を参照して詳細に説明する。
（システム構成）
図１は、本発明に係るレイアウトデータ作成システムの一例を示す構成図である。図１において、１は演算制御装置、２は属性抽出手段、３は実データ抽出手段、４はレイアウト手段、５は記憶装置、６は設定装置、７は表示装置、８は出力装置である。
【０００８】
演算制御装置１は、本発明の中心的な役割を行うものであり、属性抽出手段２、実データ抽出手段３、レイアウト手段４を備えている。このうち、属性抽出手段２は、記憶装置５に記憶された画像ファイルからその属性情報を抽出する機能を有する。実データ抽出手段３は、記憶装置５に記憶された画像ファイル内の画像の実データ、および文字情報ブロックを抽出する機能を有する。レイアウト手段４は、属性抽出手段２により抽出された属性情報を、実データ抽出手段３により抽出された実データ上に重ねて配置する機能を有する。現実には、演算制御装置１は、コンピュータのＣＰＵ、主メモリにより実現され、属性抽出手段２、実データ抽出手段３、レイアウト手段４は、主メモリに専用のソフトウェアを読み込むことにより実現される。さらに具体的にはＤＴＰ等のソフトウェアの機能追加プログラムで実現されることになる。
【０００９】
記憶装置５は、画像ファイルおよび文字情報ブロックを記憶するものであり、ハードディスク、ＭＯ等の、コンピュータに接続された外部記憶装置により実現される。設定装置６は、必要な設定値を入力するためのものであり、コンピュータに接続されたキーボード、マウス等の入力機器により実現される。表示装置７は、ＣＲＴ、液晶等のディスプレイ装置により実現される。出力装置８は、カラープリンタ等の紙媒体に出力可能な機器で実現される。
【００１０】
（画像データに関する属性出力）
次に、図１に示したレイアウトデータ作成システムの処理動作を、本発明に係るレイアウトデータ作成方法と共に説明する。図２は、本発明に係るレイアウトデータ作成方法のフローチャートである。まず、ＤＴＰレイアウトソフト上で編集作業を行う（ステップＳ１）。この処理は、ＤＴＰソフトウェアをインストールしたコンピュータ上で従来と同様に行うことができる。
【００１１】
続いて、画像上に発生させる属性情報の出力態様の設定を行う（ステップＳ２）。これには、図１に示した表示装置７に所定の設定画面（図示せず）を表示させ、画像パターンファイルの作成を行う。ここで、設定される内容は、文字のフォント名／色／サイズ、および文字の位置、平網、フレームの色／サイズである。画像パターンファイルを設定しておくと、作業者や品目が変わっても設定を流用することができる。さらに、表示装置７に図３に示すような詳細設定画面を表示させ、画像パターンファイルの詳細を設定することもできる。図３に示す詳細設定画面では、画像名表示、変倍率表示、解像度表示の３つの表示について設定が可能となっている。画像名表示については、画像ファイル名が有する拡張子単位で、出力態様としてフォントおよび色が設定可能となっている。図３の例では、４つの拡張子について設定ができるようになっており、例えば、ファイル名１では、拡張子が「ｐｓｄ」、フォントが「新ゴB」、色が「カラー１」と設定されている。これは、拡張子が「ｐｓｄ」となる画像ファイルについては、そのファイル名を「新ゴB」のフォントで「カラー１」の色で出力することを示している。同様に、図３の例ではファイル名２の設定は、拡張子「ｅｐｓ」の画像ファイルについては、そのファイル名を「中ゴシック体」のフォントで「シアン」の色で出力することを示しており、ファイル名３の設定は、拡張子「ａｉ」の画像ファイルについては、そのファイル名を「Ｏｓａｋａ」のフォントで「イエロー」の色で出力することを示している。
【００１２】
図３の詳細設定画面における変倍率表示は、原画像をどの程度変倍して割付を行っているかの出力に関する設定である。変倍率表示については、その左側のチェックボタンをクリックすることにより、変倍率表示の例外の場合の設定が行われる。変倍率表示の項目では、例外の場合となった場合の変倍率のフォントおよび色が設定される。図３の例では、「細明朝体」のフォントで「マゼンタ」の色で表示することを示している。その下の変倍率範囲においては、原則と例外の場合の基準の設定が行われる。ここでは、原則となる場合の下限値と上限値を設定するようになっており、図３の例では、下限値として「７５％」、上限値として「１２５％」が設定されている。すなわち、図３のような設定が行われた場合、変倍率が７５％〜１２５％に収まるときは、デフォルト値として設定されたフォントと色で表示され、設定された範囲に収まらないときは、「細明朝体」のフォントで「マゼンタ」の色で表示されることになる。さらに、その下部には縦・横の倍率が異なる場合に警告を出すかどうかの選択を行うためのチェックボタンが設けられている。
【００１３】
図３の設定画面における解像度表示においては、画像の解像度を表示する場合の設定が行われる。図３の例では、「平成明朝」のフォントで「シアン」の色で表示されるように設定が行われている。
【００１４】
続いて、原レイアウトデータに割り付けられた画像に重ねて、対応する属性情報を発生する処理を行う（ステップＳ３）。ここで、原レイアウトデータとは、画像データ、文字情報ブロック等の割付位置の情報を有するレイアウトデータであり、後述する属性情報や修正メッセージを重ねて出力したレイアウトデータと区別するために、原レイアウトデータと呼ぶことにする。ステップＳ３における具体的な処理としては、実データ抽出手段３が記憶装置５から原レイアウトデータを抽出する。この原レイアウトデータには、どの位置にどの画像がレイアウトされるかについての情報も記録されているので、同時に画像ファイルの実データも抽出される。続いて、属性抽出手段２は、原レイアウトデータから各画像の画像ファイル名と変倍率を抽出すると共に、画像ファイルから解像度の情報をそれぞれ抽出する。レイアウト手段４では、実データ抽出手段３により抽出された原レイアウトデータの各画像上に、属性抽出手段２により抽出された画像ファイル名、変倍率、解像度を重ねて配置する。この際、レイアウト手段４は、画像ファイル名、変倍率、解像度の各情報が、設定画面において設定された条件に該当するものであるかどうかを判断する。画像ファイル名については、設定された拡張子を持つものであるか否かを判断し、変倍率については、設定された変倍率範囲に含まれるか、および、縦・横の変倍率が異なるかどうかについて判断し、解像度については、解像度表示のチェックが行われているかどうかについて判断する。
【００１５】
画像ファイル名、変倍率、解像度の各情報が、設定された条件に該当するものである場合は、設定画面で設定された出力態様を各属性情報に付加する。設定された内容に含まれない場合は、あらかじめ用意されたデフォルト値（画像パターンファイルに設定された値）に従って出力態様が設定される。本実施形態においては、画像ファイル名、変倍率、解像度の各情報に応じて各文字のフォントおよび色に関する値を出力態様として変化させるようにしている。この出力態様としては、文字のフォント、色以外にも、画像パターンファイルに設定されている文字のサイズ、および文字の位置、平網、フレームの色／サイズを利用することも可能である。
【００１６】
レイアウト手段４によりレイアウトされることにより、画像データの属性情報が設定された出力態様で画像上に重ねて発生されたレイアウトデータ、すなわち、画像属性付レイアウトデータは、表示装置７、印刷装置８にそれぞれ出力される。この画像属性付レイアウトデータは、原レイアウトデータと同様、ＰＤＦ（Portable Document Format）、ＰＳ（Post Script）、ＥＰＳ（Encapsulated PostScript）形式等で用意することができる。ここで、表示装置７および印刷装置８に出力される画像および画像に対応する属性情報の様子を図４に示す。図４の例では、画像の上に、枠で囲まれた画像ファイル名、変倍率、解像度が表示されている。図４（ａ）の例では、画像ファイル名の拡張子が「ｐｓｄ」であるので、図３の設定画面で行った設定に従って、画像ファイル名「ｓａｍｐｌｅ．ｐｓｄ」は、フォントが「新ゴB」、色が「カラー１」で表現されることになる。また、図４（ａ）の例では、変倍率が「Ｘ（横方向）＝１１０％、Ｙ（縦方向）＝１１０％」であり、図３の設定画面で行った変倍率範囲に含まれ、縦・横の変倍率が同一であるので、変倍率「Ｘ＝１１０％、Ｙ＝１１０％」は、デフォルト値として設定されたフォントおよび色で表現されることになる。解像度については、図３の設定画面においてチェックボタンがチェックされているため、解像度「解像度＝７２」は、フォントが「平成明朝」、色が「シアン」で表現されることになる。
【００１７】
図４（ｂ）の例では、画像ファイル名の拡張子が「ｐｓｄ」であるので、図４（ａ）の場合と同様に図３の設定画面で行った設定に従って、画像ファイル名「Ｅｎｄ０１．ｐｓｄ」は、フォントが「新ゴB」、色が「カラー１」で表現されることになる。また、図４（ｂ）の例では、変倍率が「Ｘ（横方向）＝４０％、Ｙ（縦方向）＝４５％」であり、図３の設定画面で行った変倍率範囲に含まれないので、変倍率「Ｘ＝４０％、Ｙ＝４５％」は、図３の設定画面で設定されたフォント「細明朝体」および色「マゼンタ」で表現されることになる。また、縦・横の変倍率が異なるため、図４（ｂ）に示すような警告文「変倍率が異なります。」が出力される。解像度については、図３の設定画面においてチェックボタンがチェックされているため、解像度「解像度＝７２」は、フォントが「平成明朝」、色が「シアン」で表現されることになる。
【００１８】
図４に示したような画像上への属性情報の出力は、基本的には、レイアウトデータ上の全ての画像について行われる。このように画像に属性情報を重ねた状態でデータ出力することにより、校正作業を行うことが可能となる。出力する機器は作業者の設定により決定される。作業者が表示装置７を指定した場合は、表示装置７に画像属性付レイアウトデータの表示が行われる（ステップＳ４）。この場合、表示装置７の画面を見ながら校正作業が行われる。一方、作業者が印刷装置８を指定した場合は、印刷装置８により画像属性付レイアウトデータが印刷される（ステップＳ５）。ここで印刷装置８により出力された印刷物は、カラーカンプの画像上に属性情報が重ねて印刷されたものとなっている。属性情報が重ねて印字されると画像が見づらくなり、画像について細かいチェックができなくなるため、通常のカラーカンプ（原レイアウトデータを印刷したもの）も併せて印刷するようにするのが好ましい。出力したカラーカンプを用いて再度依頼者による校正が行われる。
【００１９】
（文字情報に関する修正メッセージ）
図１に示したレイアウトデータ作成システムでは、文字情報の属性に関する修正メッセージを出力することも可能である。次に、このような文字情報の属性に関する修正メッセージの出力について説明する。図５は文字情報に関する修正メッセージ出力を行う場合のレイアウトデータ作成方法のフローチャートである。まず、画像の場合と同様にＤＴＰレイアウトソフト上で編集作業を行う（ステップＳ１１）。
【００２０】
続いて、文字属性パターンファイルの設定を行う（ステップＳ１２）。ここで、文字属性パターンファイルの一例を図６（ａ）に示す。図６（ａ）に示すように、本実施形態では、文字属性パターンは、所定の枠が設定され、その内部に「商品名」、「価格」、「商品説明」の各要素が配置されたものとなっている。図６（ａ）の例では、「商品名」は枠内の最上部左端から開始するものと設定され、その文字サイズは２４ポイントである。「価格」は枠内の最上部から所定の間隔を空けた位置で右端に設定され、その文字サイズは１２ポイントである。「商品説明」は、「価格」のさらに下方の左端から開始するように設定されており、その文字サイズは１２ポイントである。
【００２１】
続いて、各文字情報ブロックごとにレコードとして登録する（ステップＳ１３）。ここで、「文字情報ブロック」とは、１つの商品ごとに文字情報が入力されたものをいう。文字情報ブロックの例を図６（ｂ）に示す。図６（ｂ）に示すような各文字情報ブロックの実情報は、直接設定装置６から入力することもできるし、記憶装置５内に商品情報データベースを用意しておき、その商品情報を文字属性パターンに流し込むこともできる。
【００２２】
次に、文字属性パターンファイルと各文字情報ブロックの文字属性を「商品名」、「価格」、「商品説明」の各要素ごとに比較する（ステップＳ１４）。具体的には、実データ抽出手段３が記憶装置５から原レイアウトデータを抽出する。この原レイアウトデータには、どの位置にどの文字情報ブロックがレイアウトされるかについての情報も記録されているので、同時に文字情報ブロックの実データも抽出される。レイアウト手段４では、実データ抽出手段３により抽出された原レイアウトデータ上の各文字情報ブロックと、あらかじめ設定された文字属性パターンファイルの比較を行う。この比較は、各文字情報ブロックと、文字属性パターンファイルの文字属性情報を各要素ごとに比較することにより行われる。例えば、図６（ａ）に示した文字属性パターンファイルと図６（ｂ）に示した文字情報ブロックの比較を行うと、「商品名」、「価格」、「商品説明」の各要素が共に同じ文字属性情報をもつので、図６（ｂ）に示した文字情報ブロックは、そのままレイアウトデータに組み込まれて出力されることになる。一方、図６（ｃ）に示したような文字情報ブロックと図６（ａ）に示した文字属性パターンファイルを比較すると、「価格」、「商品説明」の要素については同一であるが、「商品名」については、文字情報ブロックの「メロン」が１８ポイント、文字属性パターンファイルの「商品名」が２４ポイントで異なるものとなる。この場合、文字情報ブロックはそのまま出力されず、図７に示すように、文字情報ブロックの商品名「メロン」上に、文字属性パターンファイルが有しているポイント数にするように促すメッセージ「サイズを２４ポイントにして下さい。」を出力する。
【００２３】
上記のような文字属性パターンファイルとの文字属性の比較は、レイアウトデータ上の全文字情報ブロックについて行われる。このように修正情報をメッセージとして出力することにより、校正作業を行うことが可能となる。出力する機器は、画像の場合と同様に作業者の設定により決定される。作業者が表示装置７を指定した場合は、表示装置７にレイアウトデータの表示が行われる（ステップＳ１５）。この場合、表示装置７の画面を見ながら校正作業が行われる。一方、作業者が印刷装置８を指定した場合は、印刷装置８により修正メッセージ付レイアウトデータが印刷される（ステップＳ１６）。ここで印刷装置８より印刷された出力物は、文字情報ブロックの要素上に修正メッセージが重ねて印刷されたものとなっている。修正メッセージが重ねて印字されると文字情報ブロックが見づらくなるため、通常のカラーカンプも合わせて出力するようにするのが好ましい。出力したカラーカンプを用いて再度依頼者による校正が行われる。
【００２４】
（画像の属性情報と文字属性の修正メッセージの同時出力）
上記実施形態においては、画像の属性情報の出力と、文字属性の修正メッセージの出力とを別々に説明したが、これらは同時に実行することも可能である。同時に実行する場合は、原レイアウトデータを抽出した際に、同時にその原レイアウトデータ上に割り付けられている画像データ、文字情報ブロックを抽出すると共に、画像データの属性情報を抽出する。続いて、画像データの属性情報については、上記設定画面で設定された内容にしたがって、画像データ上に重ねて出力すると共に、文字情報ブロックについては、文字属性パターンファイルの文字情報と比較して異なっている場合に修正を促すメッセージを文字情報ブロックに重ねて出力する。
【００２５】
【発明の効果】
以上、説明したように本発明によれば、原レイアウトデータ上に割り付けられる文字情報ブロックの基準となる文字属性パターンを設定する段階と、画像、文字情報ブロックの割付位置情報を有する原レイアウトデータ、および前記原レイアウトデータ上に割り付けられた画像データ、および画像データの属性情報、および文字情報ブロックを抽出する段階と、前記原レイアウトデータに割り付けられた画像上に、前記属性情報を重ねて配置すると共に、前記文字情報ブロック内の文字属性と前記文字属性パターンの文字属性が異なっている場合に、前記文字属性パターンの文字属性に変更するためのメッセージを前記文字情報ブロック上に重ねて配置することにより画像属性および修正メッセージ付レイアウトデータを作成する段階と、前記画像属性および修正メッセージ付レイアウトデータを出力する段階と、を備えるようにしたので、校正者は、割り付けられている文字・画像が具体的にどのような値で設定されているかを知ることができ、修正指示を行う際、抽象的な言葉でなく具体的な数値で指示することが可能となる。また、作業者による確認および修正作業を軽減することが可能となる。また、属性情報に画像ファイル名が含まれていれば、作業者は、修正すべき原画像ファイルを容易に探すことが可能となり、作業の迅速化に繋がるという効果を奏する。
【図面の簡単な説明】
【図１】本発明のレイアウトデータ作成システムの構成を示す図である。
【図２】本発明に係るレイアウトデータ作成方法のフローチャートである。
【図３】画像データの属性情報に対する出力態様を設定するための設定画面を示す図である。
【図４】画像属性付レイアウトデータにおける画像と属性情報の重ね合わせの様子を示す図である。
【図５】文字属性に関する処理を行う場合のレイアウトデータ作成方法のフローチャートである。
【図６】文字属性パターンファイルおよび文字情報ブロックの一例を示す図である。
【図７】修正メッセージ付レイアウトデータに重ね出力される文字情報ブロックおよび修正メッセージの一例を示す図である。
【符号の説明】
１・・・演算制御装置
２・・・属性抽出手段
３・・・実データ抽出手段
４・・・レイアウト手段
５・・・記憶装置
６・・・設定装置
７・・・表示装置
８・・・印刷装置
【図１】
0004467832.tif 000002
【図２】
0004467832.tif 000003
【図３】
0004467832.tif 000004
【図４】
0004467832.tif 000005
【図５】
0004467832.tif 000006
【図６】
0004467832.tif 000007
【図７】
0004467832.tif 000008